(57)【要約】【課題】光接続ユニットにおける光ファイバの撤去作業等における作業性を良好にすることができ、取付けおよび取外しが容易であり、かつ作業現場での識別情報記入が可能であり、しかも識別情報を容易に確認できる光ファイバ識別表示札の提供。【解決手段】光接続ユニットの光コネクタハウジングにコネクタ接続された光ファイバに取付可能な光ファイバ識別表示札１。光ファイバ１３の識別情報を表示する表示部２を有する本体部３と、光ファイバ１３に取付けられる取付部４とを備えた可撓性のシート体からなる。取付部４は、折り返しにより光ファイバ１３が挿通可能な環状となる光ファイバ保持部５を有する。【選択図】図６
2010224488.tif 000002
【特許請求の範囲】
【請求項１】
光接続ユニット（１１）の光コネクタハウジング（１２）にコネクタ接続された光ファイバ（１３）に取付可能な光ファイバ識別表示札であって、
前記光ファイバの識別情報を表示する表示部（２）を有する本体部（３）と、前記光ファイバに取付けられる取付部（４）とを備えた可撓性のシート体からなり、
前記取付部は、折り返しにより前記光ファイバが挿通可能な環状となる光ファイバ保持部（５）を有することを特徴とする光ファイバ識別札（１）。
【請求項２】
前記取付部が、一方面が粘着面とされた固定部（７）を有し、前記固定部は、前記粘着面を前記本体部に貼り付けることにより前記光ファイバ保持部を環状とすることができることを特徴とする請求項１に記載の光ファイバ識別表示札。
【請求項３】
前記光ファイバ保持部は、環状にしたときの内面が非粘着面であることを特徴とする請求項２に記載の光ファイバ識別表示札。
【請求項４】
前記光ファイバ保持部は、前記表示部に比べ幅が狭く形成されていることを特徴とする請求項１〜３のうちいずれか１項に記載の光ファイバ識別表示札。
【請求項５】
前記光ファイバ保持部は、前記固定部に比べ幅が狭く形成されていることを特徴とする請求項２に記載の光ファイバ識別表示札。
【発明の詳細な説明】
【技術分野】
【０００１】
本発明は、光配線盤や光接続箱等の光接続ユニットにおいて光ファイバの線番確認等のために使用できる識別表示札に関する。
【背景技術】
【０００２】
従来、光接続ユニットでは、多数本の光ファイバコード等の光ファイバを識別するため、各光ファイバに紐を介して光ファイバ識別表示札を取り付け、これら識別表示札に光ファイバの線番などを表示して線番管理を行うことがある（例えば特許文献１を参照）。
図９は、従来の光ファイバ識別表示札の一例を示すもので、光ファイバ１３は、光接続ユニット３１の光コネクタアダプタ１２に光コネクタ１４により接続されており、光ファイバ識別表示札２１は、各光ファイバ１３に紐２２を介して取り付けられている。
また、バンド状の装着具により光ファイバの外周面に装着可能な識別表示具も用いられており、この識別表示具はバーコードなどの識別情報を表示可能である。
【先行技術文献】
【特許文献】
【０００３】
【特許文献１】特開２００４−２４６１４７号公報
【発明の概要】
【発明が解決しようとする課題】
【０００４】
しかしながら、従来の識別表示札２１では、光ファイバ１３（光ファイバコード等）の本数が多いと、配線変更などのため一部の光ファイバを撤去する作業や保守作業等において、識別表示札２１が他の光ファイバ１３や他の識別表示札２１に引っかかって光ファイバの移動がしにくくなり、作業性が低下するという問題があった。また、取付けおよび取外しに手間がかかるという問題もあった。
上記識別表示具では、光ファイバ外周面に直接装着されるため、光ファイバの数が多くなると他の光ファイバに隠れて確認しにくくなることがあった。また、小型であるため作業現場で情報の記入は難しい。
本発明は前記事情に鑑みてなされたもので、光接続ユニットにおける光ファイバの撤去作業等における作業性を良好にすることができ、取付けおよび取外しが容易であり、かつ作業現場での識別情報記入が可能であり、しかも識別情報を容易に確認できる光ファイバ識別表示札の提供を目的とする。
【課題を解決するための手段】
【０００５】
本発明の請求項１にかかる発明は、光接続ユニットの光コネクタハウジングにコネクタ接続された光ファイバに取付可能な光ファイバ識別表示札であって、前記光ファイバの識別情報を表示する表示部を有する本体部と、前記光ファイバに取付けられる取付部とを備えた可撓性のシート体からなり、前記取付部が、折り返しにより前記光ファイバが挿通可能な環状となる光ファイバ保持部を有する光ファイバ識別札である。
本発明の請求項２にかかる発明は、請求項１において、前記取付部が、一方面が粘着面とされた固定部を有し、前記固定部は、前記粘着面を前記本体部に貼り付けることにより前記光ファイバ保持部を環状とすることができる光ファイバ識別表示札である。
本発明の請求項３にかかる発明は、請求項２において、前記光ファイバ保持部は、環状にしたときの内面が非粘着面である光ファイバ識別表示札である。
本発明の請求項４にかかる発明は、請求項１〜３のうちいずれか１項において、前記光ファイバ保持部が、前記表示部に比べ幅が狭く形成されている光ファイバ識別表示札である。
本発明の請求項５にかかる発明は、請求項２において、前記光ファイバ保持部が、前記固定部に比べ幅が狭く形成されている光ファイバ識別表示札である。
【発明の効果】
【０００６】
本発明の光ファイバ識別表示札は、光ファイバ保持部を環状にすることで光ファイバに取付けできるので、取り付けおよび取り外し作業が容易である。
本発明の光ファイバ識別表示札は可撓性であるので、光ファイバの数が多い場合も、光ファイバの移動に際し他の光ファイバに引っかかることがなく、撤去作業などにおける作業性が良好である。
また、光ファイバの長さ方向に移動可能であるため、識別情報を確認しやすい位置に配置するのが容易である。
さらには、シート体からなるため、表示部に十分な面積を与えることができ、作業現場での識別情報の記入が容易である。
【図面の簡単な説明】
【０００７】
【図１】本発明の光ファイバ識別表示札の一実施形態の平面図である。
【図２】光ファイバ識別表示札を光ファイバに取り付けた状態を示す平面図である。
【図３】光ファイバ識別表示札を光ファイバに取り付けた状態を示す側面図である。
【図４】光ファイバ識別表示札を光ファイバに取り付ける操作を示す説明図である。
【図５】光ファイバ識別表示札を光ファイバに取り付ける操作を示す説明図である。
【図６】光ファイバ識別表示札を光ファイバに取り付ける操作を示す説明図である。
【図７】本発明の光ファイバ識別表示札を使用可能な光接続ユニットを示す模式図である。
【図８】光ファイバ識別表示札の使用例を示す斜視図である。
【図９】従来の光ファイバ識別表示札の一例を使用した光接続ユニットを示す斜視図である。
【発明を実施するための形態】
【０００８】
図１〜図３は、本発明の光ファイバ識別表示札の一実施形態である光ファイバ識別表示札１を示す図であり、図１は光ファイバ識別表示札１の平面図であり、図２は光ファイバ識別表示札１を光ファイバ１３に取り付けた状態を示す平面図であり、図３は光ファイバ識別表示札１を光ファイバ１３に取り付けた状態を示す側面図である。
【０００９】
図１に示すように、光ファイバ識別表示札１は、表示部２を有する本体部３と、光ファイバ１３に取付けられる取付部４とを備えた可撓性のシート体である。
光ファイバ識別表示札１は、ポリエチレンテレフタレート、ポリエチレンなどの樹脂で形成するのが好ましく、識別情報９が明瞭に確認できれば半透明でも不透明でもよい。なお、光ファイバ識別表示札１は、可撓性を与え得る材料であれば樹脂製に限らず、他の材料、例えば紙製などとしてよい。
光ファイバ識別表示札１の厚さは、例えば２０〜１００μｍとすることができ、２０〜５０μｍとするのが好ましい。
【００１０】
本体部３は、略長方形状の表示部２と、表示部２の一端部から徐々に幅が狭くなりつつ延出する延出部６とを有する。
表示部２には、光ファイバ１３の識別情報９を形成することができる。識別情報９は、ペンで情報を記入してインクを付着させることにより形成してもよいし、印刷等により形成してもよい。表示部２は、作業者がペンを用いて識別情報９を記入するための十分な面積を有することが好ましい。
識別情報９としては、例えば光ファイバ１３の回線番号、接続元、接続先、使用者、施工者などに関する情報が挙げられる。
【００１１】
取付部４は、光ファイバ１３を保持する光ファイバ保持部５と、本体部３に固定可能な固定部７とを有する。
光ファイバ保持部５は、延出部６の先端から表示部２の長手方向に帯状に延出して形成されている。
光ファイバ保持部５の幅は、ある程度狭く、例えば表示部２の幅より狭くすると、光ファイバ識別表示札１が光ファイバ１３の長手方向に移動しやすくなり位置調整などの操作がしやすくなる。光ファイバ保持部５は、固定部７よりも幅が狭くなるように形成することができる。
なお、幅とは光ファイバ保持部５の延出方向に対し垂直な方向の寸法をいい、図１においては左右の寸法である。光ファイバ保持部５の幅は、例えば２〜１０ｍｍ、好ましくは４〜６ｍｍとすることができる。
【００１２】
光ファイバ保持部５は、取付部４の折り返しにより光ファイバ１３が挿通可能な環状とすることができ、これによって光ファイバ１３に取り付けできる。
光ファイバ保持部５は、光ファイバ１３の長さ方向に移動可能となるように形成するのが好ましい。例えば、環状としたときの光ファイバ保持部５の内周長が光ファイバ１３の外周長より大きくなるように形成することによって、光ファイバ保持部５に余裕を持たせ、光ファイバ１３に対し容易に移動できるようにするのが好ましい。
光ファイバ保持部５は、環状にしたときの内面が非粘着面であると、光ファイバ１３に対する移動が容易になる。
【００１３】
固定部７は、光ファイバ保持部５の延出端に形成され、前記延出方向、すなわち図１における下方に向けて徐々に幅広になる台形状の基部７ａと、一定幅の中間部７ｂと、徐々に幅狭になる台形状の先端部７ｃとを有する。
基部７ａの両側縁は、前記延出方向に対し傾斜して形成されており、後述する折り返し時に延出部６の両側縁にほぼ一致するように形成するのが好ましい。
固定部７の一方面には、固定部７を本体部３に固定するための粘着剤層８を形成することによって、粘着面とすることができる。図示例では、基部７ａと中間部７ｂの一方面に粘着剤層８が形成されている。
あらかじめ粘着剤層８を形成しておくことによって、固定部７を本体部３に固定する操作が容易になる。
粘着剤としては、汎用の粘着剤を使用することができる。粘着剤は、固定部７を本体部３にいったん貼り付けると容易には剥離しない程度の粘着性を有するものが望ましい。
【００１４】
次に、光ファイバ識別表示札１の使用方法の一例を説明する。
本発明の光ファイバ識別表示札の対象となる光ファイバは、例えば図７に示す光接続ユニット１１の光コネクタアダプタ１２に光コネクタ１４（光コネクタプラグ）により接続された光ファイバ１３である。光ファイバ１３は、例えば、光ファイバコード、光ファイバ心線等である。
【００１５】
図４〜図６に示すように、光ファイバ１３を光ファイバ保持部５上に載せ、光ファイバ保持部５を長さ方向の中間位置で折り返し、固定部７を本体部３の延出部６に重ね、粘着剤層８により延出部６に貼り付けて固定する。
これによって、光ファイバ保持部５は光ファイバ１３が挿通した環状となり、光ファイバ識別表示札１は取付部４にて光ファイバ１３に取り付けられる。
光ファイバ１３を囲む環状部分の光ファイバ保持部５は光ファイバ１３に対し接着されておらず、光ファイバ１３の長手方向に移動可能であるため、光ファイバ１３の長手方向の位置を容易に調整できる。
【００１６】
図７に示す光接続ユニット１１は、光コネクタアダプタ１２が形成された成端部１５の前面側に水平なトレイ１６が延出した構造を有する。成端部１５には、トレイ１６に垂直に配列された複数の光コネクタアダプタ１２からなるアダプタ配列部１７が、紙面に垂直な方向に間隔をおいて複数設けられている。
光ファイバ１３は、トレイ１６上に形成した複数の光ファイバガイド１８およびクリップ１９によって配線位置を定められる。光ファイバガイド１８はトレイ１６に立設された板状体であり、各アダプタ配列部１７の位置に合わせて所定間隔ごとに設けられている。図７に示す例では、紙面に垂直な方向に所定間隔をおいて設けられている。
【００１７】
図８に示すように、光ファイバ識別表示札１は、隣り合う光ファイバガイド１８間に配置すると、光ファイバガイド１８によって挟まれた状態で位置決めされるため識別情報９の確認が容易になる。
光ファイバ識別表示札１は光ファイバ１３の長手方向に移動可能であるため、光ファイバ１３が接続された光コネクタアダプタ１２の高さ位置によらず、光ファイバガイド１８間に配置することができる。
光ファイバ識別表示札１を光ファイバ１３から取り外すには、固定部７を本体部３から剥がすか、光ファイバ保持部５を切断すればよい。
【００１８】
光ファイバ識別表示札１は、光ファイバ保持部５を環状にすることで光ファイバ１３に取付けできるので、取り付けおよび取り外し作業が容易である。
光ファイバ識別表示札１は可撓性であるので、光ファイバ１３の数が多い場合も、光ファイバ１３の移動に際し他の光ファイバ１３や他の光ファイバ識別表示札１に引っかかることがなく、撤去作業などにおける作業性が良好である。
また、光ファイバ１３の長さ方向に移動可能であるため、識別情報９を確認しやすい位置に配置するのが容易である。
さらには、シート体からなるため、表示部２に十分な面積を与えることができ、作業現場での識別情報９の記入は容易である。
また、識別表示札１どうしの摩擦が小さいため、多数の識別表示札１が重ねられている状態でも光ファイバ１３の移動は容易である。
【００１９】
なお、本発明において「光コネクタハウジング」は、光コネクタプラグ同士を中継し、内部にて両光コネクタプラグが位置決め接続される光接続機器をいい、ここに例示した光コネクタアダプタのほか、光コネクタレセプタクル等、光コネクタ（光コネクタアダプタ）が挿入接続される、各種雌型の光コネクタを指す。
【符号の説明】
【００２０】
１・・・光ファイバ識別表示札、２・・・表示部、３・・・本体部、４・・・取付部、５・・・光ファイバ保持部、７・・・固定部、８・・・粘着剤層、１１・・・光接続ユニット、１２・・・光コネクタハウジング、１３・・・光ファイバ、１４・・・光コネクタ、１５・・・成端部、１６・・・トレイ、１７・・・アダプタ配列部、１８・・・光ファイバガイド、１９・・・クリップ、２１・・・光ファイバ識別表示札、２２・・・紐、３１・・・光接続ユニット。
【図１】
2010224488.tif 000003
【図２】
2010224488.tif 000004
【図３】
2010224488.tif 000005
【図４】
2010224488.tif 000006
【図５】
2010224488.tif 000007
【図６】
2010224488.tif 000008
【図７】
2010224488.tif 000009
【図８】
2010224488.tif 000010
【図９】
2010224488.tif 000011